(57)【要約】【課題】  電子回路基板に実装されている回路部品を迅速に且つ確実に視認することができるようにした基板収納ケースを提供する。【解決手段】  本体部５１ａの表面５１ｄにおける中央部よりも左側には、ケース本体５０に取り付けられた電子回路基板４０における実装面４０ａの法線方向で実装面４０ａから離れるように突出した凸部５１ｊが形成されている。この凸部５１ｊは中空の四角柱であり、その前面には表面５１ｄに対して略平行な平面５１ｋが形成されている。平面５１ｋにはシール５５が貼り付けられ、このシール５５には検査情報が記入される。これにより実装面４０ａの検査情報によって覆われている部分が凸部５１ｊの側面５１ｐから視認可能となる。【選択図】        図５
2006212273.tif 000002
【特許請求の範囲】
【請求項１】
電子回路基板の実装面を覆う透光性のカバーを備えた基板収納ケースにおいて、
前記カバーの前記実装面に対向している部分の少なくとも一部に、他の部分よりも外側に突出した凸部を形成し、この凸部の側面から前記実装面が視認可能となるように前記凸部の前面に前記電子回路基板の検査情報を表示することを特徴とする基板収納ケース。
【請求項２】
前記実装面に対して略平行となるように前記凸部の前面を平面状に形成したことを特徴とする請求項１記載の基板収納ケース。
【請求項３】
前記側面は、前記凸部が前記凸部の前面から根元にかけて次第に太くなるように傾斜していることを特徴とする請求項２記載の基板収納ケース。
【請求項４】
前記電子回路基板は、ハズレ又は当たりを抽選により決定し、当たりが抽選されたときに特典を遊技者に付与する遊技機に用いられており、
当たりの抽選確率が互いに異なる複数の抽選テーブルの中から１つを選択して設定する操作部材を前記実装面に設け、前記操作部材を露呈させる露呈孔を前記カバーに形成し、前記操作部材よりも前記実装面からの高さが高くなるように前記凸部を形成したことを特徴とする請求項１ないし３のいずれか１つに記載の基板収納ケース。
【請求項５】
前記露呈孔から露呈している前記操作部材を覆う開閉自在な遮蔽扉を前記カバーに設け、前記遮蔽扉が前記操作部材を覆った際に前記凸部の前面と前記遮蔽扉の前面とが前記実装面から略同一の高さで略面一となるように前記凸部と前記遮蔽扉とを形成したことを特徴とする請求項４記載の基板収納ケース。
【請求項６】
前記検査情報が記入されるシールを前記凸部の前面に貼り付けたことを特徴とする請求項１ないし５のいずれか１つに記載の基板収納ケース。
【請求項７】
前記シールは透光性を有する素材からなることを特徴とする請求項６記載の基板収納ケース。
【発明の詳細な説明】
【技術分野】
【０００１】
本発明は、電子回路基板を収納する基板収納ケースに関するものである。
【背景技術】
【０００２】
パチンコ店などの遊技場に設置して使用されるスロットマシンは、メダルに一定の価値が与えられて、ゲームを行って獲得したメダルを種々の景品に交換することができる。スロットマシンには、その筐体内部に、メダルの供給に基づいて作動させるランプ装置や音声発生装置などの様々な各種駆動装置及びこれら駆動装置を制御させるために対応させた電子回路基板を備えており、遊技者が遊技を行う際にこれらを適宜作動させることによって遊技を興趣に溢れたものとしている。
【０００３】
また、最近のスロットマシンでは、所定の図柄を変動表示し得るリール表示装置または液晶画像表示装置等の図柄可変表示装置を内蔵し、所定条件を満たしたときに図柄を変動させた後に停止表示させるように図柄可変表示装置を作動させるものが主流となっている。これらの装置は電子回路基板によって制御されている。電子回路基板にはＣＰＵ（ｃｅｎｔｒａｌ  ｐｒｏｃｅｓｓｉｎｇ  ｕｎｉｔ）が実装されており、一般的には、このＣＰＵが制御プログラムに従ってスロットマシンの動作を制御する。制御プログラムは、マスクＲＯＭ（ｒｅａｄ  ｏｎｌｙ  ｍｅｍｏｒｙ）のような基板上に装着されたＩＣチップにデータとして記憶されており、ＣＰＵは遊技状況に応じてＩＣチップから制御プログラムのデータを逐次読み出して実行することによってスロットマシンを制御している。
【０００４】
電子回路基板は基板収納ケースに収納され、この基板収納ケースは筺体の内部における目に付き難い箇所、例えば、筺体の奥壁に取り付けられる。一般的に、基板収納ケースは、電子回路基板の様子が視認可能となるように透明になっており、電子回路基板を出し入れするための開口が上面に形成された箱状のケース本体と、ケース本体の開口を塞ぐカバーとから構成されている。電子回路基板を基板収納ケースに収納する場合、電子回路基板の表面、すなわち回路部品が実装されている面がケース本体の開口側を向くようにして電子回路基板をケース本体の内部に取り付けた後、電子回路基板の表面を覆うようにしてカバーでケース本体の開口を塞ぎ、そしてカバーをケース本体に固定する。これにより電子回路基板は何人も接触できないように基板収納ケースによって防護された状態となる（例えば、特許文献１、２参照）。
【０００５】
ところで、カバーの表面には、スロットマシンに関する様々な情報が記載されるシールが貼り付けられている。例えば、スロットマシンの定期点検が行われると、その都度、点検が行われた日、過去に点検が行われた回数、点検を行った人の名前などがシール上に記入される。
【特許文献１】特開２０００−７０５２６号
【特許文献２】特開２０００−３５０８４５号
【発明の開示】
【発明が解決しようとする課題】
【０００６】
しかしながら、上述したような基板収納ケースでは、電子回路基板の表面がカバーの表面に貼り付けられたシールによって覆われてしまうので、基板収納ケースを通して電子回路基板を見ようとした場合、シールが障害物となって電子回路基板に実装されている回路部品が見え難くなり、電子回路基板の点検や管理が行いにくくなるという問題が発生する。透明なシールをカバーの表面に貼り付けたとしても、シールには白や黒などの着色された文字が記入されるので、その文字によって電子回路基板の表面が見え難くなってしまう。
【０００７】
本発明は、上記課題を解決するためになされたものであり、電子回路基板に実装されている回路部品を迅速に且つ確実に視認することができるようにした基板収納ケースを提供することを目的とする。
【課題を解決するための手段】
【０００８】
本発明は上記目的を達成するために、電子回路基板の実装面を覆う透光性のカバーを備えた基板収納ケースにおいて、前記カバーの前記実装面に対向している部分の少なくとも一部に、他の部分よりも外側に突出した凸部を形成し、この凸部の側面から前記実装面が視認可能となるように前記凸部の前面に前記電子回路基板の検査情報を表示することを特徴としている。
【０００９】
また、前記実装面に対して略平行となるように前記凸部の前面を平面状に形成することが好ましい。
【００１０】
また、前記側面は、前記凸部が前記凸部の前面から根元にかけて次第に太くなるように傾斜していることが好ましい。
【００１１】
また、前記電子回路基板は、ハズレ又は当たりを抽選により決定し、当たりが抽選されたときに特典を遊技者に付与する遊技機に用いられており、当たりの抽選確率が互いに異なる複数の抽選テーブルの中から１つを選択して設定する操作部材を前記実装面に設け、前記操作部材を露呈させる露呈孔を前記カバーに形成し、前記操作部材よりも前記実装面からの高さが高くなるように前記凸部を形成することが好ましい。
【００１２】
また、前記露呈孔から露呈している前記操作部材を覆う開閉自在な遮蔽扉を前記カバーに設け、前記遮蔽扉が前記操作部材を覆った際に前記凸部の前面と前記遮蔽扉の前面とが前記実装面から略同一の高さで略面一となるように前記凸部と前記遮蔽扉とを形成することが好ましい。
【００１３】
また、前記検査情報が記入されるシールを前記凸部の前面に貼り付けることが好ましい。
【００１４】
また、前記シールは透光性を有する素材からなることが好ましい。
【発明の効果】
【００１５】
本発明の基板収納ケースによれば、カバーの実装面に対向している部分の少なくとも一部に、他の部分よりも外側に突出した凸部を形成し、この凸部の側面から実装面が視認可能となるように凸部の前面に電子回路基板の検査情報を表示するようにしたので、実装面のうち、検査情報の下方に位置する部分、すなわち検査情報によって覆われている部分を凸部の側面を通して容易に見ることができる。これにより検査情報の存在を気にすることなく実装面を全体に亘って容易に見ることができ、電子回路基板に対して不正な細工が施されているか否かを迅速に且つ確実に判別することができる。
【００１６】
また、実装面に対して略平行となるように凸部の前面を平面状に形成したので、ペンを用いて検査情報を記入する場合、容易に記入することができ、さらに、凸部の前面に表示される検査情報を見易くすることができる。
【００１７】
また、側面は、凸部がその前面から根元にかけて次第に太くなるように傾斜しているので、実装面のうち、検査情報の下方に位置する部分がより一層見易くなり、電子回路基板に対して不正な細工が施されているか否かをより一層迅速に且つ確実に判別することができる。
【００１８】
また、電子回路基板は、ハズレ又は当たりを抽選により決定し、当たりが抽選されたときに特典を遊技者に付与する遊技機に用いられており、当たりの抽選確率が互いに異なる複数の抽選テーブルの中から１つを選択して設定する操作部材を実装面に設け、操作部材を露呈させる露呈孔を前記カバーに形成し、操作部材よりも実装面からの高さが高くなるように凸部を形成したので、操作部材の存在を気にすることなく、凸部の側面を通して実装面を容易に見ることができる。
【００１９】
また、露呈孔から露呈している操作部材を覆う開閉自在な遮蔽扉を前記カバーに設け、遮蔽扉が操作部材を覆った際に凸部の前面と遮蔽扉の前面とが実装面から略同一の高さで略面一となるように凸部と遮蔽扉とを形成したので、凸部の前面と遮蔽扉の前面とを水平面に当接させたときに凸部と遮蔽扉とにより基板収納ケースを水平面に安定した状態で載置することができ、基板収納ケースを取り外してメンテナンス作業や故障の修理などといった作業を行う場合、その作業効率を向上させることができる。
【００２０】
また、検査情報が記入されるシールを凸部の前面に貼り付けるようにしたので、検査情報を効率的に表示することができる。
【００２１】
また、シールは透光性を有する素材からなるので、シールを通して実装面を視認することができ、電子回路基板に対して不正な細工が施されているか否かをより一層迅速に且つ確実に判別することができる。
【発明を実施するための最良の形態】
【００２２】
以下、本発明の第１の実施形態を図面を参照して説明する。図１及び図２に示すように、スロットマシン２の筺体３は大別して、正面に開口部４を有する収納箱５、収納箱５の開口部４を開閉自在に塞ぐ前面扉６とから構成されている。前面扉６は、収納箱５の上部開口４ａを開閉自在に塞ぐ上扉７、筺体の下部開口４ｂを開閉自在に塞ぐ下扉８とから構成されている。
【００２３】
上扉７には３個の図柄表示窓９〜１１が設けられ、各々の表示窓の奥に第１〜第３リール１２ａ〜１２ｃが回転自在に組み込まれている。周知のように、第１〜第３リール１２ａ〜１２ｃの外周には様々な図柄が一定ピッチで配列され、リールが停止した状態では対応する表示窓を通して１リール当たり３個の図柄が観察される。これにより、各リールの図柄を１個ずつ組み合わせた直線状の入賞ラインが横３本斜め２本の合計５本設定されている。
【００２４】
上扉７における図柄表示窓８〜１０の下方にはクレジット枚数表示窓１５が設けられている。クレジット枚数表示窓１５の奥には、クレジット枚数表示装置（不図示）が設けられている。スロットマシン２では５０枚を限度に適正なメダルを貯留することが可能になっており、クレジット枚数表示装置は貯留されているメダルの枚数をクレジット枚数表示窓１５を通して表示する。クレジット枚数表示窓１５の側方にはエラー表示窓１６が設けられている。エラー表示窓１６の奥には、エラー表示窓１６を通してエラーコードを表示させるエラーコード表示装置（不図示）が設けられている。機械動作、遊技動作に異常がある場合等には、エラー表示窓１６を通して異常に応じたエラーコードが表示されるようになっている。
【００２５】
下扉８には操作パネル２０が設けられている。この操作パネル２０には、１枚ベットボタン２１、ＭＡＸベットボタン２２、精算ボタン２３、スタートレバー２４、第１〜第３ストップボタン２５〜２７などの操作ボタンが設けられている。また、この操作パネル２０にはメダル投入口２８が設けられている。なお、これら操作ボタンやメダル投入口２８の機能については周知であるため、詳細については省略する。
【００２６】
前面扉６を開けると、収納箱５の内部には、リールユニット３０、電源装置３１、及びホッパーユニット３２が設けられている。収納箱５は、底板３５、側板３６、天板３７及び背板３８（図３参照）から形成されており、収納箱５の内部における鉛直方向の略中央部で２枚の側板３６の間には、水平方向に仕切り板３９が横架されている。この仕切り板３９は収納箱５の内部を上下２つに仕切るためのものであり、収納箱５の内部は、仕切り板３９によって上収納部５ａと下収納部５ｂとに仕切られる。
【００２７】
上収納部５ａにおいて、仕切り板３９の上面にはリールユニット３０が載置されている。リールユニット３０は、第１〜第３リール１２ａ〜１２ｃと、特に図示しないが第１〜第３リール１２ａ〜１２ｃを回転させるためのステッピングモータを有している。
【００２８】
下収納部５ｂにおいて、仕切り板１２の下面には電源装置３１が取り付けられている。電源装置３１の前面側には、スロットマシン２の主電源のオンとオフとを切り換えるための電源スイッチ３１ａが設けられている。この電源スイッチ３１ａをオンにすると主電源が投入されて各種制御装置に電源が供給される。
【００２９】
また、下収納部５ｂにおいて、底板３５の上面にはメダルの払出し装置であるホッパーユニット３２が載置されている。ホッパーユニット３２は、遊技の実行によりメダル投入口２８から投入されたメダルを貯留するメダル貯留箱３２ａと、ホッパー装置３２ｂとから構成されている。ホッパー装置３２ｂから払い出されたメダルは、メダル払い出し口３３を経てメダル受け皿３４に払い出される。
【００３０】
図３に示すように、上収納部５ａにおける背板３８の前面３８ａの上部には、電子回路基板４０を収納した基板収納ケース４１が組み付けられている。電子回路基板４０の基材は矩形状の薄板からなる。図４〜６に示すように、電子回路基板４０の実装面（表面）４０ａには、ＣＰＵ（Ｃｅｎｔｒａｌ  Ｐｒｏｃｅｓｓｉｎｇ  Ｕｎｉｔ）４２ａ及びスロットマシン２の遊技動作プログラムを記憶したＲＯＭ（Ｒｅａｄ  Ｏｎｌｙ  Ｍｅｍｏｒｙ）４２ｂなどの各種回路部品が実装されている。また、電子回路基板４０の正面斜視図（図４〜６）における実装面４０ａの右下には円柱状のキーシリンダ（操作部材）４３と円柱状の設定変更ボタン（操作部材）４４とが立設されている。
【００３１】
ところで、スロットマシン２では、遊技モードと抽選テーブル設定モードとが設定されている。遊技モードでは、遊技が実行可能となる。遊技モードで遊技が開始されると、ハズレ又は当たりが抽選によって決定され、当たりが抽選されたときに特典が遊技者に付与される。ハズレ又は当たりを決定するための抽選は電子回路基板４０のＣＰＵ４２ａを用いて行われる。抽選テーブル設定モードでは、当たりの抽選確率が互いに異なる複数の抽選テーブルの中から１つを選択して、その選択した抽選テーブルを遊技で用いるように設定することが可能となる。
【００３２】
図５及び図６に示すように、キーシリンダ４３は、円筒状の本体部４３ａと、本体部４３ａの内部に回動可能に設けられ、設定キー４５を差し込むことで、オフ位置とオン位置との間で回動する回動部４３ｂとからなり、回動部４３ｂには、設定キー４５を挿入するためのキー穴４３ｃが形成されている。また、キーシリンダ４３は、その先端が、後述するカバー５１をケース本体５０に取り付けた際に露呈孔５１ｆから突出する長さで形成されており、実装面４０ａに実装されている回路部品のうち、実装面４０ａからの高さが最も高い回路部品となっている。
【００３３】
設定変更ボタン４４は、抽選テーブル設定モードにおいて抽選テーブルの選択時に操作されるものであり、プッシュ式のボタンとなっている。設定変更ボタン４４は、その先端が、後述するカバー５１をケース本体５０に取り付けた際に露呈孔５１ｆから突出する長さで形成されている。
【００３４】
ＣＰＵ４２ａは、スタートレバー２４が操作されたことを契機に入力される遊技スタート信号に応答してＲＯＭ４２ｂに格納された遊技実行プログラムに基づいて第１〜第３リール１２ａ〜１２ｃを回転させるとともに遊技の処理を開始する。
【００３５】
ＣＰＵ４２ａは図示しない乱数発生器と乱数値サンプリング回路とを含み、遊技が開始される毎に１つの乱数値を抽選により決定する。ＣＰＵ４２ａは、遊技が開始される毎に１つの乱数値を抽選により決定し、この決定された乱数値に応じて、現在実行された遊技でどのような当選役を与えるかを決定する。
【００３６】
ＲＯＭ４２ｂには、当たりの抽選確率が互いに異なる６つの抽選テーブルが記憶されている。したがって、選択された抽選テーブルによって、遊技におけるメダルの払出し確率が異なることになる。
【００３７】
抽選テーブルは、通常モードでの遊技でサンプリングされた乱数値が、ＢＢモードに移行する権利を与えるＢＢ、ＲＢモードに移行する権利を与えるＲＢ、所定枚数のメダルの払出しだけを行う小役当選図柄に対応する小役、メダルの投入なしに同じベット数で次回の遊技を行う権利を与えるリプレイ、一切当たりを発生させないハズレなどのいずれの図柄に属しているかの判定に用いられる。この判定はＣＰＵ４２ａで行われる。なお、小役当選図柄は複数種類あり、それぞれに配当メダルが割り当てられている。そして、サンプリングされた乱数値がいずれの当選図柄に属した値であるかによって当選の種類と図柄が決められる。このようにＣＰＵ４２ａでは乱数値と６つの抽選テーブルのうちのいずれか１つを用いて当たりか否かが決定される。
【００３８】
ホッパー装置３２ｂは、ＣＰＵ４２ａで決定されたハズレ又は当たりの当選役の種類に応じて規定枚数の配当メダルをメダル受け皿３４に払い出す。なお、当選役の種類ごとに配当メダルの枚数を決めた配当テーブルはＲＯＭ４２ｂに格納されており、ＣＰＵ４２ａがこれを読み取ってホッパー装置３２ｂを駆動させる。
【００３９】
スロットマシン２が設置される遊技場の管理者が、抽選テーブルの種類を変更する場合、先ず設定キー４５をキー穴４３ｃに差し込み、回動部４３ｂをオン位置まで回転させた後に、電源スイッチ３１ａをオンにしてスロットマシン２の主電源を投入すると、設定変更プログラムが起動し、抽選テーブル設定モードになる。抽選テーブル設定モードでは、設定変更ボタン４４を押下操作することにより６つの抽選テーブルの中から１つが選択される。なお、６つの抽選テーブルには当たりの抽選確率の低い抽選テーブルから高い抽選テーブルにかけて順に１〜６までの設定値が割り振られており、設定キー４５をキー穴４３ｃに差し込み、回動部４３ｂをオン位置まで回転させた後に、電源スイッチ３１ａをオンにしてスロットマシン２の主電源を投入するとクレジット枚数表示窓１５を通して設定値が表示される。遊技場の管理者は表示された設定値を確認しながら設定変更ボタン４４を押下操作して設定値を選択する。
【００４０】
設定変更ボタン４４によって所望の抽選テーブルを選択した後、回動部４３ｂをオン位置からオフ位置に回転させて、設定キー４５をキー穴４３ｃから引き抜くと、設定変更ボタン４４によって選択された抽選テーブルが確定し、遊技モードに移行する。また、クレジット枚数表示窓１５に表示された設定値は非表示となる。遊技モードでは、その確定した抽選テーブルを用いて遊技が行われる。このようにキーシリンダ４３及び設定変更ボタン４４は、当たりの抽選確率が互いに異なる複数の抽選テーブルの中から１つを選択して設定する操作部材として機能する。
【００４１】
図４及び図５に示すように、基板収納ケース４１は、ケース本体５０とカバー５１とから構成されている。ケース本体５０とカバー５１とはいずれも透明なＡＢＳ樹脂（アクリロニトリル−ブタジエン−スチレン樹脂）などの合成樹脂で成形されている。
【００４２】
図５及び図６に示すように、ケース本体５０は、箱状に形成された本体部５０ａと、この本体部５０ａの右側面５０ｂに一体成形された円筒状の取付部５０ｃとから構成されている。本体部５０ａは、矩形状の底板５２ａと、この底板５２ａの四方を囲んでいる側板５２ｂとから構成されている。底板５２ａは、電子回路基板４０よりも僅かに大きく形成されている。底板５２ａの内面５２ｃは平面状に形成されている。本体部５０ａには電子回路基板４０を出し入れするための開口５０ｄが内面５２ｃに対面するように形成されている。電子回路基板４０は開口５０ｄを通して本体部５０ａの内面５２ｃに取り付けられる。電子回路基板４０が内面５２ｃに取り付けられると、実装面４０ａが開口５０ｄから露呈される。
【００４３】
右側面５０ｂには鉛直方向に沿って取付部５０ｃが６個一体成形されている。取付部５０ｃのそれぞれには取付孔５０ｅが形成されている。本体部５０ａの上面５０ｆ及び下面５０ｇにおける左側端部と略中央部と右側端部とに係合突起５０ｈがそれぞれ形成されている。係合突起５０ｈは、ケース本体５０の背面側から前面側に向けて肉厚が薄くなるように三角柱状に形成されている。このように構成されているケース本体５１は、上収納部５ａにおける背板３８の前面３８ａに組み付けられる。
【００４４】
図５及び図７に示すように、カバー５１は、ケース本体５０に取り付けられた電子回路基板４０の実装面４０ａを覆うものである。カバー５１は、長板状の本体部５１ａ、本体部５１ａの上側の先端を９０°の角度で折り曲げられた形状で形成された上曲げ部５１ｂ、本体部５１ａの下側の先端を９０°の角度で折り曲げられた形状で形成された下曲げ部５１ｃから構成されている。本体部５１ａの表面５１ｄは平面状に形成されており、この表面５１ｄは、カバー５１がケース本体５０に取り付けられた際にケース本体５０に取り付けられている電子回路基板４０の実装面４０ａに対して略平行となるように形成されている。
【００４５】
本体部５１ａの表面５１ｄにおける右側の端部には、カバー５１をケース本体５０に取り付けるための取付孔５１ｅが取付孔５０ｅに対応するように所定のピッチで６個形成されている。本体部５１ａの表面５１ｄにおける中央部よりも右側で取付孔５１ｅの左側には、キーシリンダ４３及び設定変更ボタン４４を露呈するための露呈孔５１ｆが形成されている。
【００４６】
本体部５１ａの表面５１ｄにおける中央部の上下端部のそれぞれには、後述する遮蔽扉６０を回動自在に支持するための上支持部５１ｇ及び下支持部５１ｈが一体成形されている。上支持部５１ｇ及び下支持部５１ｈには、後述する回動シャフト６１の本体部６１ａを挿通するための挿通孔５１ｉがそれぞれ形成されている。
【００４７】
本体部５１ａの表面５１ｄにおける中央部よりも左側には、ケース本体５０に取り付けられた電子回路基板４０における実装面４０ａの法線方向で実装面４０ａから離れるように突出した凸部５１ｊが形成されている。この凸部５１ｊは中空の四角柱であり、その前面には表面５１ｄに対して略平行な平面５１ｋが形成されている。このように凸部５１ｊは、カバー５１の表面５１ｄ（実装面４０ａに対向している部分）の一部において、他の部分よりも外側に突出している。
【００４８】
また、凸部５１ｊは、電子回路基板４０が取り付けられているケース本体５０にカバー５１を取り付けた際に、キーシリンダ４３よりも実装面４０ａからの高さが高くなるように形成されている。また、凸部５１ｊは、平面５１ｋから根元にかけて次第に太くなるように側面５１ｐが傾斜している。
【００４９】
平面５１ｋにはシール５５が貼り付けられている（図中のハッチング部分を参照）。シール５５の基材は透明なシートであり、透明な接着剤によって平面５１ｋに貼り付けられている。シール５５には電子回路基板４０の定期検査が行われる度に、検査日、検査回数、検査を行った人の名前などといった検査情報が記入される。
【００５０】
上支持部５１ｇの左側であって上曲げ部５１ｂの中央部よりも右側には、後述するねじりバネ６３の第１腕部６３ｂを係止するための略Ｌ字状のバネ係止部５１ｑが形成されている。上曲げ部５１ｂ及び下曲げ部５１ｃには、左側側端部と略中央部と右側端部とに係合突起５０ｈを挿入するための係合孔５１ｒがそれぞれ形成されている。
【００５１】
遮蔽扉６０は、カバー５１をケース本体５０に取り付けた際に露呈孔５１ｆから露呈されるキーシリンダ４３及び設定変更ボタン４４を覆うものである。遮蔽扉６０は、露呈孔５１ｆから露呈しているキーシリンダ４３及び設定変更ボタン４４を覆う遮蔽位置とキーシリンダ４３及び設定変更ボタン４４を露呈する露呈位置との間で変位するようにカバー５１の表面５１ｄに開閉自在に軸着されている。
【００５２】
遮蔽扉６０の本体部６０ａは箱体であり、この箱体の底面に相当する本体部６０ａの前面６０ｂは平面状に形成されている。また、凸部５１ｊ及び遮蔽扉６０は、遮蔽扉６０を遮蔽位置に変位させた際に平面５１ｋと前面６０ｂとがカバー５１の表面５１ｄから同一の高さ、すなわちケース本体５０に取り付けられている電子回路基板４０の実装面４０ａから略同一の高さで略面一となるように形成されている。これにより平面５１ｋと前面６０ｂとを図示しない水平面に当接させた場合、基板収納ケース４１が凸部５１ｊと遮蔽扉６０とによって前記水平面に安定した状態で載置される。
【００５３】
本体部６０ａの正面斜視図（図７）における左側壁には、この左側壁を鉛直方向に貫通する貫通孔６０ｃが形成されている。本体部６０ａの正面斜視図（図７）における上面の左側端部には、後述するねじりバネ６３の第２腕部６３ｃを係止するための凸状のバネ係止部６０ｄが一体成形されており、このバネ係止部６０ｄには、ねじりバネ６３の第２腕部６３ｃを挿入するための凹状のバネ挿入凹部６０ｅが形成されている。
【００５４】
ねじりバネ６３は、コイル状に巻回された中心部６３ａと、この中心部６３ａから外側に直線上に延びる第１腕部６３ｂ及び第２腕部６３ｃとから構成されている。回動シャフト６１は、円柱状の本体部６１ａと、本体部６１ａの上端部に一体に形成された本体部６１ａよりも径の大きい円盤状の鍔部６１ｂとからなる。回動シャフト６１の本体部６１ａを、ねじりバネ６３の中心部６３ａ、上支持部５１ｇの挿通孔５１ｉ、遮蔽扉６０の貫通孔６０ｃ、下支持部５１ｈの挿通孔５１ｉの順に挿通させると、遮蔽扉６０は、遮蔽位置と露呈位置との間で回動可能な状態でカバー５１の表面５１ｄに取り付けられる。
【００５５】
ねじりバネ６３の第１腕部６３ｂを、カバー５１のバネ係止部５１ｑに係止し、第２腕部６３ｃを図中Ａ方向に回転すると、第１腕部６３ｂが図中Ａ方向に、第２腕部６３ｃが図中Ｂ方向にそれぞれ回転しようとする回転力が発生する。そして、第２腕部６３ｃを遮蔽扉６０のバネ挿入凹部６０ｅに挿入すると、第１腕部６３ｂがバネ係止部５１ｑに、第２腕部６３ｃがバネ挿入凹部６０ｅにそれぞれ係止された状態となり、ねじりバネ６３は固定される。これにより遮蔽扉６０は、ねじりバネ６３によって露呈位置から遮蔽位置に向けて（図中Ｃ方向に）付勢される。
【００５６】
キーシリンダ４３及び設定変更ボタン４４を使用しないとき（抽選テーブルの設定操作を行わないとき）には、遮蔽扉６０がねじりバネ６３の付勢力を受けて常に遮蔽位置に保たれ、キーシリンダ４３及び設定変更ボタン４４が使用不能な状態となる。キーシリンダ４３及び設定変更ボタン４４を使用する場合、ねじりバネ６３の付勢力に抗して遮蔽扉６０を遮蔽位置から露呈位置に回転させることによってキーシリンダ４３及び設定変更ボタン４４が露呈され、キーシリンダ４３及び設定変更ボタン４４が使用可能な状態となる。
【００５７】
電子回路基板４０を基板収納ケース４１に収納して、その基板収納ケース４１を筺体３の内部に設置する場合、先ず、図示しない取付部材（例えば、ビス、工業用接着剤など）により、実装面４０ａが開口５０ｄから露呈されるように電子回路基板４０をケース本体５０の内面５２ｃに取り付ける。電子回路基板４０をケース本体５０に取り付けた後、カバー５１の裏面と開口５０ｄとを対向させるとともに、キーシリンダ４３と設定変更ボタン４４とが露呈孔５１ｆから露呈されて遮蔽扉６０によって覆われるようにケース本体５０とカバー５１との位置を合わせながらケース本体５０の係合突起５０ｈをカバー５１の係合孔５１ｒに挿入すると、係合突起５０ｈが係合孔５１ｒに係合し、開口５０ｄはカバー５１と遮蔽扉６０とによって塞がれる。そして、図４に示すように、ビス７０をカバー５１の取付孔５１ｅを介してケース本体５０の取付孔５０ｅにビス締めする。これによりケース本体５０とカバー５１とが固定され、電子回路基板４０は何人も接触できないように防護される。
【００５８】
電子回路基板４０を基板収納ケース４１に収納した後、ケース本体５０における底板５２ａの外面（内面５２ｃの裏面）を上収納部５ａにおける背板３８の前面３８ａに対面するように配置して、図示しない取付部材（例えば、ビス、工業用接着剤など）を用いて前面３８ａに基板収納ケース４１を固定する。そして、シール５５を凸部５１ｊの平面５１ｋに貼り付ける。このシール５５には電子回路基板４０について検査が行われる度に検査情報が記入される。
【００５９】
以上のように、凸部５１ｊの平面５１ｋに検査情報を表示するようにしたので、基板収納ケース４１が前面３８ａのような収納箱５の内部の奥まった位置に取り付けられたとしても実装面４０ａの平面５１ｋに対向している部分、すなわち実装面４０ａの検査情報によって覆われている部分が凸部５１ｊの側面５１ｐから視認可能となり、電子回路基板４０に不正な細工が施されているか否かを迅速に且つ確実に判別することができる。
【００６０】
上記実施形態では、シール５５を平面５１ｋに貼り付けて情報を掲示するようにしたが、油性のペンなどで平面５１ｋに直接記入しても良く、平面５１ｋに情報を表示する形態は適宜に変更可能である。
【００６１】
上記実施形態では、カバー５１に凸部５１ｊを形成したが、凸部５１ｊと同様の形状及び大きさの凸部をカバー５１に複数形成し、その凸部の前面のそれぞれに検査情報を表示するようにしても良い。
【００６２】
上記実施形態では、凸部５１ｊの前面に平面５１ｋを形成したが、凸部５１ｊの前面の形状は曲面状であっても良く、適宜に変更可能である。
【００６３】
上記実施形態では、基板収納ケース４１をケース本体５０とカバー５１とから構成したが、基板収納ケース４１をカバー５１のみで構成するようにしても良い。この場合、先ず、電子回路基板４０を上収納部５ａにおける背板３８の前面３８ａに取り付ける。そして、箱状に形成されたカバー５１に遮蔽扉６０を取り付けて、電子回路基板４０を覆うようにしてカバー５１を前面３８ａに取り付ける。この場合にも、上記実施形態と同様の効果を得ることができ、さらには、ケース本体５０を使用しないため、部品点数の削減を図ることができる。
【００６４】
なお、本発明を適用した基板収納ケース４１は、スロットマシン２に限らず、パチンコ機などの各種電子機器に用いることができる。
【図面の簡単な説明】
【００６５】
【図１】スロットマシンの外観を示す斜視図である。
【図２】前面扉を取り外した状態のスロットマシンであり、スロットマシンの内部の構成を示す斜視図である。
【図３】収納箱と、収納箱の内部に取り付けられた基板収納ケースとを示す斜視図である。
【図４】基板収納ケースを示す斜視図である。
【図５】カバーとケース本体とを示す斜視図である。
【図６】電子回路基板とケース本体とを示す斜視図である。
【図７】カバーと遮蔽扉とねじりバネと回動シャフトとを示す斜視図である。
【符号の説明】
【００６６】
２    スロットマシン
４０    電子回路基板
４０ａ    実装面
４１    基板収納ケース
４３    キーシリンダ（操作部材）
４４    設定変更ボタン（操作部材）
５１    カバー
５１ｆ    露呈孔
５１ｊ    凸部
５１ｋ    平面
５１ｐ    側面
５５    シール
６０    遮蔽扉
【図１】
2006212273.tif 000003
【図２】
2006212273.tif 000004
【図３】
2006212273.tif 000005
【図４】
2006212273.tif 000006
【図５】
2006212273.tif 000007
【図６】
2006212273.tif 000008
【図７】
2006212273.tif 000009